(57)【要約】【課題】従来のテーブル状部材と壁材は独立に成形され、平盤部の端部に壁材接続用の接続凹部を設け壁材端部に凸部を設け挿入することで壁部を形成している。そのための手間が必要であった。本願は壁部をテーブル状部材の縁部に可撓片で結合し、テーブル状部材の平盤部間を接続する継手として兼用する技術の提案である。【解決手段】樹脂製の平盤部と平盤部に開口する筒状の脚部からなるテーブル状部材の平盤部縁部に壁材・継手兼用の板部を可撓片で結合したブロックであって、壁材・継手兼用の板部は可撓片を介して平盤部の相接する2辺の端部に設けられ、壁材・継手兼用の板部を可撓片を介して平行にすることで他のブロック部材の平盤部に接続し、かつ壁材・継手兼用の板部を垂直に折り曲げることで壁部となる壁・継手兼用の板部を有するブロック部材である。  【選択図】図1
2017089137.tif 000002
【特許請求の範囲】
【請求項１】
射出成形で形成される樹脂製の平盤部と平盤部に開口する筒状の脚部からなるテーブル状部材の平盤部縁部に板材を可撓片で結合したブロックであって、第１のブロックは、板材が平盤部の相接する2辺の端部に設けられ、当該2辺の端部と板材の可撓片側端部には板材が可撓片を介して水平に折り曲げられ継手として使用される場合、互いに接続可能とする第１の接続部が設けられ、他の相接するブロックの平盤部の２辺の縁部上面と板材他端部には、板材を可撓片を介して平行にするとき他のブロック部材の平盤部に接続するための第２の接続部が設けられ、第２のブロックは第１のブロックに設けられた板材がひとつであり、第３のブロックは平盤部が他のブロックの平盤部の半分であり、板材が平盤部の短い辺の縁部に設けられており、それぞれ３つのブロックの脚部底面を対向するユニットを形成し、そのニットを上下左右に配置して得られた構築物をシート類で包んで得られた貯留空間を利用する雨水等の流出抑制施設。
【発明の詳細な説明】
【技術分野】
【０００１】
本発明は、ブロック部材を配列して得られた貯留空間を利用する液体特に雨水を貯留して雨水流出抑制用の貯留槽技術に属する。
【背景技術】
【０００２】
一時的に雨水を貯留し徐々に流出させる雨水流出抑制施設するための貯留空間は、平盤部と脚部から構成されるテーブル状部材と壁材を主たる構成要素とする例が多い。一般には、テーブル状部材と壁材は別々に熱可塑性樹脂を射出成形して製造される。かかる雨水流出抑制施設としての貯留槽、浸透槽として使用される例として以下の開示がある。（特開平10-252108、特開2001-90167、特開2006-200356、特開2009-57695）
本件発明は、テーブル状部材と壁材の両者を一度に成形し、かつその手段をテーブル状部材の接続手段に応用する。
【先行技術文献】
【特許文献】
【０００３】
【特許文献１】特開平10-252108
【特許文献２】特開2001-90167
【特許文献３】特開2006-200356
【特許文献４】特開2009-57695
【発明の開示】
【発明が解決しようとする課題】
【０００４】
従来のテーブル状部材と壁材は独立に成形され、平盤部の端部に壁材接続用の接続凹部を設け壁材端部に凸部を設け挿入することで壁部を形成している。そのための手間が必要であった。本願は板材をテーブル状部材の縁部に可撓片で結合し、この板材を壁材として、あるいはテーブル状部材の平盤部間を接続する継手として兼用する技術の提案である。
【課題を解決するための手段】
【０００５】
本発明は、射出成形で形成される樹脂製の平盤部と平盤部に開口する筒状の脚部からなるテーブル状部材の平盤部縁部に板材を可撓片で結合したブロックであって、第１のブロックは、板材が平盤部の相接する2辺の端部に設けられ、当該2辺の端部と板材の可撓片側端部には板材が可撓片を介して水平に折り曲げられ継手として使用される場合、互いに接続可能とする第１の接続部が設けられ、他の相接するブロックの平盤部の２辺の縁部上面と板材他端部には、板材を可撓片を介して平行にするとき他のブロック部材の平盤部に接続するための第２の接続部が設けられ、第２のブロックは第１のブロックに設けられた板材がひとつであり、第３のブロックは平盤部が他のブロックの平盤部の半分であり、板材が平盤部の短い辺の縁部に設けられており、それぞれ３つのブロックの脚部底面を対向するユニットを形成し、そのニットを上下左右に配置して得られた構築物をシート類で包んで得られた貯留空間を利用する雨水等の流出抑制施設である。
【発明の効果】
【０００６】
本発明は、第１のブロックは、板材が平盤部の相接する2辺の端部に設けられ、当該2辺の端部と板材の可撓片側端部には板材が可撓片を介して水平に折り曲げられ継手として使用される場合、互いに接続可能とする第１の接続部が設けられ、他の相接するブロックの平盤部の２辺の縁部上面と板材他端部には、板材を可撓片を介して平行にするとき他のブロック部材の平盤部に接続するための第２の接続部が設けられ、第２のブロックは第１のブロックに設けられた板材がひとつであり、第３のブロックは平盤部が他のブロックの平盤部の半分であり、板材が平盤部の短い辺の縁部に設けられているため以下の効果がある。
（１）    図２、図３に示すように、板部を水平にすることで平盤部同士を接続するための継手となり、垂直に折り曲げることで壁部となる。
【図面の簡単な説明】
【０００７】
【図１】は、本発明の第１のブロックの概念部を示す。
【図２】は、本発明の第１のブロックの板材を水平に折り曲げた状態を示す概念図である。
【図３】は、本発明の第２、第３ののブロックの概念図を示す。
【図４】は、本発明のブロックの縦方向の配列を示す概念図である。
【図５】は、本発明のブロックを利用して得られる構築物の平面図及び側断面図の一例である。
【図６】は、上記構築物の天井部を天井部材で覆った側断面図である。
【図７】は、貯留空間を地下に構築しシートで包みドロだめ枡、オリフィスなどの付属装置を設けた貯留槽の概念図である。
【発明を実施するための形態】
【０００８】
以下、本発明を図により詳細に説明する。
図1ａに示す通り、本発明の第１のブロックは平盤部と平盤部に開口する脚部と平盤部に可撓片を介して接続された板材から構成される。
平盤部は貯留した水が流通可能とするため孔が設けられ、一般的にはリブで主要部が構成される。通常形状は正方形、矩形などである。脚部は平盤部に開口する筒状を呈し、形状は円、正方形、多角形、梅鉢状などで開口部から脚部底部に向かって細くなるようなテーパが設けられることが好ましい。
【０００９】
板材は平盤部の相接する２辺に可撓片を介して接続されている。
当該2辺の端部と板材の可撓片側端部には板材が可撓片を介して、図２に示すように、水平に折り曲げられる場合、互いに接続可能とする第１の接続部が設けられ、他の相接するブロックの平盤部の２辺の縁部上面と板材他端部には、板材を可撓片を介して平行にするとき他のブロック部材の平盤部に接続するための第２の接続部が設けられている。図では第１の接続部は板材が接続した平盤部の縁端部に設けられた凹部と板材の可撓片側端部に設けられた凸部であり、板材が水平になったとき板材を支えられるようになっている。
また、第２の接続部は板部の他端側に設けられた孔部と平盤部の板部の接続されていない縁端部に設けられた棒状の凸部からなり、板部と第１のブロックを接続する。
なお、板部の他端部に設けられた孔部は後述する第２のブロックの平盤部の板部の設けられた反対側の縁端部に設けられた凸部に接続可能となっている。
図では２つの板材は同一であり、可撓片と繋がっていない側の板材の幅は接続時平盤間の間隔が、第１、第２のブロックの平盤部の幅の半分となるように設定されている。
図１ｂは、可撓片周辺の拡大図である。
【００１０】
図３は、第２のブロック及び第３のブロックを示す。両ブロックの板材は可撓片を介して平盤部の端部に接続され、垂直に折り曲げられることで壁部として作用する。壁部と平盤部の接続位置は、図に示すように折り曲げられたとき壁部として水平方向からの力に対抗できるよう板材縁部が平盤部端部に接触する様に定められる。
なお、図では壁部用板材および継手部用板材は同じ大きさとなっているが可撓片と繋がっていない側の壁部用の板材の幅は筒部の長さを考慮して設定することもできる。
図５に示すように、第２のブロック及び第３のブロックはブロックを配列して貯留空間を構築する際構築物の周辺部を形成する。
【００１１】
図4は、ブロック間の配置状態を示す図である。
第1のブロックと第2のブロックとの接続状態を示す概念図である。図で示すようにそれぞれのブロックを筒部の底面を突き合せるように組み合わせて、第２のブロックの平盤部に設けた凸部と第一のブロックの継手部用板材の他端部に設けた凹部とを介して接続する。さらに、第１のブロックと第１のブロックの接続を繰り返し、最後に第２のブロックを接続する、構築物の周辺の角部は第２のブロック、第２のブロック間の隙間は第３のブロックで充填する。
これを上に重なるように順次配置し、図６に示すように、得られた構築物の上面を複数のブロックを覆うように天井材を配置して貯留空間とする。
【００１２】
図７に示すように、得られた貯留区間を、シート類で包み、ドロだめ枡、オリフィス枡などの附属設備を設け、雨水等の流出抑制に使用する貯留、浸透槽として利用することができる。
【産業上の利用可能性】
【００１３】
雨水の流出抑制用に使用される一時的貯留、汚染水などの一時貯留槽として使用される。
【符号の説明】
【００１４】
１  第1のブロック
２  第２のブロック
３  第３のブロック
４  可撓片
５  継手部用板材
６  壁部用板材
７  平盤部
８  脚部
９  平盤部縁部の凹部
１０  平盤部縁部の凸部
１１  平盤部縁部の凹部
１２  継手用板材の凸部
１３  継手用板材の凹部
【図１】
2017089137.tif 000003
【図２】
2017089137.tif 000004
【図３】
2017089137.tif 000005
【図４】
2017089137.tif 000006
【図５】
2017089137.tif 000007
【図６】
2017089137.tif 000008
【図７】
2017089137.tif 000009